(57)【要約】【課題】取り扱い説明書を見ること無く、設置時の調整を順序良く、簡単に行える機器操作のガイダンスシステムを提供する。【解決手段】外部入出力端子と調整ボタンと操作順を制御するコンピュータを有する機器において、外部入出力端子及び又は調整ボタンの近傍に操作対象となる外部入出力端子及び又は調整ボタンの位置を指示する表示手段と、機器操作の順序ごとに、操作対象となる外部入出力端子及び又は調整ボタンの近傍に配設された表示手段を指定するガイダンステーブルと、外部入出力端子への信号入力の有無を判定する信号入力判定手段を備えており、コンピュータは、信号入力が有ったことを検出したときに、機器操作のガイダンステーブルに従って操作対象となる表示手段を制御するようにして、機器の調整ガイダンスを行う。また、外部入出力端子は機器に備え、調整ボタンと操作順を制御するコンピュータをリモコンに備えるようにしてもよい。【選択図】        図２
2004318740.tif 000002
【特許請求の範囲】
【請求項１】
外部入出力端子と調整ボタンと操作順を制御するコンピュータを有する機器において、前記外部入出力端子及び又は前記調整ボタンの近傍に操作対象となる該外部入出力端子及び又は該調整ボタンの位置を指示する表示手段を設け、前記コンピュータで操作対象となる該表示手段を制御することを特徴とする機器操作のガイダンスシステム。
【請求項２】
外部入出力端子を有する機器と、調整ボタンと操作順を制御するコンピュータを有するリモコンによる機器操作のガイダンスシステムにおいて、前記外部入出力端子及び又は前記調整ボタンの近傍に操作対象となる該外部入出力端子及び又は該調整ボタンの位置を指示する表示手段を設け、前記コンピュータで操作対象となる該表示手段を制御することを特徴とする機器操作のガイダンスシステム。
【請求項３】
請求項１又は請求項２に記載の機器操作のガイダンスシステムにおいて、前記外部入出力端子への信号入力の有無を判定する信号入力判定手段を有し、前記コンピュータは、前記信号入力が有ったことを検出したときに、前記機器の調整ガイダンスを行うことを特徴とする機器操作のガイダンスシステム。
【請求項４】
請求項１乃至３のいずれかに記載の機器操作のガイダンスシステムにおいて、機器操作のためのガイダンステーブルを有し、前記コンピュータは、該機器操作のガイダンステーブルに従って操作対象となる前記表示手段を制御することを特徴とする機器操作のガイダンスシステム。
【請求項５】
請求項４に記載の機器操作のガイダンスシステムにおいて、前記ガイダンステーブルは、操作の順序ごとに、操作対象となる前記外部入出力端子及び又は前記調整ボタンの近傍に配設された前記表示手段を指定するように構成したことを特徴とする機器操作のガイダンスシステム。
【請求項６】
請求項５に記載の機器操作のガイダンスシステムにおいて、前記表示手段をＬＥＤとし、前記コンピュータは操作対象となるＬＥＤを点灯または点滅させるようにして、次に操作すべき前記外部入出力端子及び又は前記調整ボタンを知らせるようにしたことを特徴とする機器操作のガイダンスシステム。
【請求項７】
コンピュータに、請求項１乃至６のいずれかに記載の機器操作のガイダンスシステムの機能を実行させるためのプログラム。
【請求項８】
請求項７に記載のプログラムを記録したコンピュータ読み取り可能な記録媒体。
【発明の詳細な説明】
【０００１】
【発明の属する技術分野】
本発明は、機器操作のガイダンスシステム、プログラムおよび記録媒体に関し、具体的には、電子機器の設置を行う時に、機器設置調整を簡単に行うためのガインダンスシステムに関する技術である。
【０００２】
【従来の技術】
通常、電子機器を購入すると、サービスマンや機器を購入したユーザが機器を稼動状態とするための調整作業を行っている。
この調整作業は、例えば、特許文献１の「ガイダンス表示装置」のようにして行われる。
【０００３】
以下、図５乃至図９を使って、特許文献１の調整作業方法を説明する。
この特許文献１の実施例は、ガイダンスを行う対象となる複写機、ファクシミリ、プリンタ、ＯＣＲ等の画像形成装置において、その機種毎に異なる調整作業のガイダンスを共通の手順で、しかも同一様式の表示手段で表示することによって、熟練を要せず、間違いがなく、しかも作業時間に無駄の無い作業を行い得るセールスマンやサービスマン向けのガイダンス表示装置の例である。
【０００４】
図５に示すように、このガイダンス表示装置１２１には、通信ポート１２２が通信用の通信ライン１２３を介してガイダンスを行う対象となる装置本体１３４の通信ポート１２５に接離自在に接続され、また、上面にＬＣＤ（液晶表示器）により構成された表示装置１２６が設けられ、かつ、セールスマンやサービスマンなどにより操作される一連の入力用キー１２７が設けられている。
【０００５】
図６は、この特許文献１の「ガイダンス表示装置」の回路ブロック図である。
制御用ＣＰＵ１２８は、ガイダンス表示装置１２１の全体の制御を行う。
ＲＯＭ１２９は、ガイダンス情報や制御プログラム等を記憶している記憶装置として用いられている。
ＲＡＭ１３０は、作業領域として用いられ、入力装置１３１は作業者により操作される入力用キー１２７により構成される。
表示装置１２６は、ＬＣＤ等で構成され、機種コード判定部１３３は装置本体１３４の機種コードを判定する。
通信ポート１２２は、ガイダンス表示を行うべき装置本体１３４の通信ポート１２５に通信ライン１２３により接続される。
バスラインは、ガイダンス表示装置１２１内の各部を接続し、外部記憶装置１３５はＲＯＭカートリッジ、磁気ディスク装置、固定磁気ディスク装置、光磁気ディスク装置などが使用される。
【０００６】
ＲＯＭ１２９内には、図７に示すように装置本体１３４の各機種Ａ、Ｂ、Ｃ・・・Ｎの機種コードに対応したガイダンス内容の格納先頭番地を記録した機種テーブルと、機種コード毎に図８に示すような各ガイダンスの手順番号１、２、３・・・ｎの先頭番地を格納した表示テーブルが格納されている。
【０００７】
次に、図９のフローチャートを用いて、特許文献１の「ガイダンス表示装置」の動作を説明する。
作業者がガイダンス表示装置１２１の通信ポート１２２と、ガイダンスの対象となる装置本体１３４の通信ポート１２５とを通信ライン１２３で接続すると、制御用ＣＰＵ１２８は、ＲＯＭ１２９に記憶されているプログラムに従って動作する。
【０００８】
まず、ステップＳ０で、通信ポート１２２および通信ライン１２３を介して装置本体１３４に機種コードを要求する。装置本体１３４はガイダンス表示装置１２１から通信ポート１２５を介して機種コードが要求されると、予め定められた自己の機種に特有の機種コードを通信ポート１２５からガイダンス表示装置１２１に送出する。
【０００９】
制御用ＣＰＵ１２８は、ステップＳ１で、装置本体１３４から通信ライン１２３および通信ポート１２２を介して機種コードを受信すると、ステップＳ２でその機種コードを機種コード判定部１３３に判定させてこの機種コード判定部１３３の判定結果により装置本体１３４の機種を確認する。
【００１０】
次に、制御用ＣＰＵ１２８は、ステップＳ３で、その確認した装置本体１３４の機種に対応した表示テーブルを図７に示す機種テーブルから選択し、その表示テーブルの位置によりステップＳ４で手順１の開始アドレスをセットし、ステップＳ５でその手順１のガイダンス表示データをＲＯＭ１２９から読み出して表示装置１２６に表示させることにより手順１のガイダンスを行う。
【００１１】
次に、制御用ＣＰＵ１２８は、ステップＳ６で、入力装置１３１からの作業者による確認キー入力を待ってキー入力がなされたら、ステップＳ７で選択した表示テーブルにより手順２の開始アドレスをセットし、ステップＳ８でその手順２のガイダンス表示データをＲＯＭ１２９から読み出して表示装置１２６に表示させることにより手順２のガイダンスを行う。
【００１２】
同様に制御用ＣＰＵ１２８は、ステップＳ９〜Ｓｉで入力装置１３１からキー入力がなされる毎に上記選択した表示テーブルに従って順次にＲＯＭ１２９から上記機種コードのガイダンス表示データが終了するまで、手順３〜ｎのガイダンス表示データを繰り返して読み出して表示装置１２６に表示させることにより手順３〜ｎのガイダンスを行い、その後にステップＳｉ＋１で入力装置１３１からキー入力がなされると、ステップＳｉ＋２で表示装置１２６のガイダンス表示を終了させる。
【００１３】
上述の例では、装置本体１３４のガイダンス表示を専用のガイダンス表示装置１２１で表示するので、機種の異なる装置本体に対して同一の操作、同一の表示フォーマットを採用できる。このため、新機種の装置本体開発時に開発効率を上げることができ、作業者の処理を簡単にできて装置本体の設置時の調整作業や保守作業などの作業を熟練していなくても間違いなく効率的に行うことができ、作業時間を短縮することが可能になる。
【００１４】
【特許文献１】
特開平５−３１３７７４号公報
【００１５】
【発明が解決しようとする課題】
しかしながら、上述した従来の方法では、ガイダンス表示用に別途専用の装置が必要となり、また、装置とガイダンス表示装置とを正しく結線するという手間がかかり、専用装置の表示部分に行うべき内容が表示されても、どこにケーブルを接続したらよいのか、また、どのキーを押したら良いのかが分からないという問題点がある。
【００１６】
本発明は、上述の実情を考慮してなされたものであって、取り扱い説明書を見ること無く、設置時の調整を順序良く、また簡単に行うことが可能となる機器操作のガイダンスシステム、プログラムおよび記録媒体を提供することを目的とする。
【００１７】
【課題を解決するための手段】
上述の課題を解決するために、本発明においては次のような構成をとる。
外部入出力端子と調整ボタンと操作順を制御するコンピュータを有する機器において、この機器操作のガイダンスシステムは、前記外部入出力端子及び又は前記調整ボタンの近傍に操作対象となる該外部入出力端子及び又は該調整ボタンの位置を指示する表示手段と、機器操作の順序ごとに、操作対象となる前記外部入出力端子及び又は前記調整ボタンの近傍に配設された前記表示手段を指定するガイダンステーブルと、前記外部入出力端子への信号入力の有無を判定する信号入力判定手段を備えており、前記コンピュータは、前記信号入力が有ったことを検出したときに、該機器操作のガイダンステーブルに従って操作対象となる前記表示手段を制御するようにして、前記機器の調整ガイダンスを行う。
また、前記表示手段をＬＥＤ（発光ダイオード）としたときには、前記コンピュータは操作対象となるＬＥＤを点滅または点灯させるようにして、次に操作すべき前記外部入出力端子及び又は前記調整ボタンを知らせるようにする。
【００１８】
また、上記の構成のうち、外部入出力端子を機器に備え、また、調整ボタンと操作順を制御するコンピュータをリモコンに備えるように構成することも可能である。
さらに、前記コンピュータが実行する前記機器操作のガイダンスシステムの機能をプログラムとすること、およびそのプログラムを記録するコンピュータ読み取り可能な記録媒体とすることも可能である。
【００１９】
以上の構成により、取り扱い説明書を見ること無く、設置時の調整を順序良く、また簡単に行うことが可能となる。
また、プロジェクタなどの投影装置においては、設置時のフォーカス調整などが終わっていないことにより、スクリーン上に表示されるガイド内容が見えない状態でもＬＥＤなどの点灯や点滅のガイドに従って正しく調整を行うことができる。
【００２０】
【発明の実施の形態】
以下、図面を参照して本発明に係る機器操作のガイダンスシステムの好適な実施形態を説明する。
また、本発明に係る機器操作のガイダンスシステムが適用される電子機器をプロジェクタとして説明するが、これに限ったものではない。
【００２１】
図１は、本発明の機器操作のガイダンスシステムが適用される電子機器（プロジェクタ）の入出力端子部と操作部であり、（Ａ）は端子板、（Ｂ）は操作部を表している。
図１（Ａ）の端子板１には、ＲＧＢ信号入力端子２と、ＶＩＤＥＯ信号入力端子３と、ＲＧＢ信号入力端子２付近のＬＥＤ４と、ＶＩＤＥＯ信号入力端子３付近のＬＥＤ５とが配置されている。
図１（Ｂ）の操作部６には、ＰＯＷＥＲキー７と、ＭＥＮＵキー８と、ＵＰキー９と、ＬＥＦＴキー１０と、ＲＩＧＨＴキー１１と、ＤＯＷＮキー１２と、ＥＮＴＥＲキー１３と、ＬＥＮＳキー１４と、また、ＰＯＷＥＲキー７付近のＬＥＤ１５と、ＭＥＮＵキー８付近のＬＥＤ１６と、ＵＰキー９付近のＬＥＤ１７と、ＬＥＦＴキー１０付近のＬＥＤ１８と、ＲＩＧＨＴキー１１付近のＬＥＤ１９と、ＤＯＷＮキー１２付近のＬＥＤ２０と、ＥＮＴＥＲキー１３付近のＬＥＤ２１と、ＬＥＮＳキー１４付近のＬＥＤ２２が配置されている。
【００２２】
図２は、本実施形態におけるガイダンスシステム部のブロック図である。端子板１にはさらに、ＲＧＢ信号入力端子２と接続したＲＧＢ端子判別回路２３と、ＶＩＤＥＯ信号入力端子３と接続したＶＩＤＥＯ端子判別回路２４を備えている。
メインマイコン２５は、端子板１のＲＧＢ端子判別回路２３、ＶＩＤＥＯ端子判別回路２４、ＬＥＤ（発光ダイオード）４およびＬＥＤ５と接続している。
また、メインマイコン２５は、キー情報受信経路２６とＬＥＤ制御経路２７を介して操作部６と接続している。
【００２３】
図３は、本実施形態における電子機器（プロジェクタ）を設置したときに調整モードを実行するか否かを判定するときの処理手順を示すフローチャートである。ここでプロジェクタ電源が入れられてからの動作に関し説明する。
【００２４】
先ず、プロジェクタに電源が入れられるとプロジェクタ装置のメインマイコン２５は、ＲＧＢ信号入力端子２にコネクタが接続されているか否かを判別するために、ＲＧＢ端子判別回路２３から情報を入力し、ＲＧＢ信号が入力されていた場合（ステップＳ３１のＹＥＳ）、既に設置調整が行われているものとし、通常モード（ステップＳ３４）へ移行する。
【００２５】
一方、ＲＧＢ信号が入力されていなかった場合（ステップＳ３１のＮＯ）、次にＶＩＤＥＯ信号入力端子３にコネクタが接続されているか否かを判別するために、ＶＩＤＥＯ端子判別回路２４から情報を入力し、ＶＩＤＥＯ信号が入力されていた場合（ステップＳ３２のＹＥＳ）、既に設置調整は行われているものとし、通常モード（ステップＳ３４）へ移行する。
他方、ＶＩＤＥＯ信号が入力されていなかった場合（ステップＳ３２のＮＯ）、ＲＧＢ信号もＶＩＤＥＯ信号も両方とも入力されていないと判断し、設置時の調整モード（ステップＳ３３）へと移行し、調整が終わると通常モード（ステップＳ３４）へ移行する。
【００２６】
次に、電子機器を設置した時の調整モードでの動作を図４のガイダンステーブルを参照しながら説明する。
ガイダンステーブルは、ユーザが次にどのデバイスの調整作業を行うべきかを記録したテーブルである。図４のガイダンステーブルでは、デバイス（ＰＯＷＥＲ、ＭＥＮＵ、ＵＰ等）付近に配設されたＬＥＤの点滅または点灯で調整作業の制御対象となるデバイスが何であるかを示している。
例えば、順番１でＬＥＤ４が点滅または点灯すると、ＬＥＤ４の付近にあるＲＧＢ信号入力端子２が制御デバイスであることが分かり、「ＲＧＢ信号の結線を促す」ことを示している。
【００２７】
このように、メインマイコン２５は、プロジェクタを設置した時に調整モードへ移行した場合、ＬＥＤ制御経路２７を通じ、ガイダンステーブルに登録された順番に制御デバイスの付近に配設されたＬＥＤを点滅または点灯させて、ユーザに調整作業を行わせ、ユーザがその作業を行うと、次の順番の制御デバイスに対してＬＥＤを点滅または点灯させる。これをガイダンステーブルの最後まで繰り返すことによって、調整作業が終了する。
次に、図４のガイダンステーブルを使って、実際の調整作業を説明する。
【００２８】
まず、ユーザに「ＲＧＢ信号の結線を促す」ためにＬＥＤ４を点滅または点灯させる（順番１）。
ユーザが点滅または点灯しているＬＥＤ４を確認した上で、その箇所（ＬＥＤ４の付近にあるＲＧＢ信号入力端子２）にＲＧＢ信号ケーブルをつなぐと、ＲＧＢ端子判別回路２３からコネクタが接続されたことを示す信号が出される。
メインマイコン２５がその信号を検出すると、次の順番２に移り、「セットの電源をＯＮさせることを促す」ためにＬＥＤ１５を点滅または点灯させる。
ユーザがＬＥＤ１５の点滅または点灯を確認し、ＰＯＷＥＲキー７を押すと、キー情報受信経路２６を通してメインマイコン２５でＰＯＷＥＲキー７が押されたことを検出する。その結果、プロジェクタに電源が入り、光源ランプを点灯させる。
【００２９】
光源ランプの点灯が確定し調整が可能になると、メインマイコン２５は、調整すべき「レンズ調整のうちズームを調整させる」ためにＬＥＤ２２を点滅または点灯させる（順番３）。
ユーザがＬＥＤ２２の点滅または点灯を確認し、ＬＥＤ２２付近のＬＥＮＳキー１４を押すと、セットはズーム調整モードに入り、「ズーム位置を設定させる」ためにＬＥＤ１８、１９を点滅または点灯させる（順番４）。
【００３０】
ユーザがＬＥＤ１８、１９の点滅または点灯を確認し、最適な画面の大きさになるまでＬＥＦＴキー１０もしくはＲＩＧＨＴキー１１を押す。
ユーザがＬＥＦＴキー１０もしくはＲＩＧＨＴキー１１を離してから一定時間後、メインマイコン２５はズーム調整が終わったものと判断し、「ズーム調整の決定を促す」ためにＬＥＤ２１を点滅または点灯させる（順番５）。
【００３１】
ユーザは調整が終わっていた場合、決定するためのキーとなるＥＮＴＥＲキー１３を押すと、メインマイコン２５は次のフォーカス調整に入らせるために、ＬＥＤ２２を点滅または点灯させる（順番６）。
ユーザがＬＥＤ２２の点滅または点灯を確認し、ＬＥＮＳキー１４を押すとフォーカス調整モードに入り、ユーザに「フォーカス調整を促す」ためにＬＥＤ１８、１９を点滅または点灯させる（順番７）。
【００３２】
ユーザがＬＥＤ１８、１９の点滅または点灯を確認し、ＬＥＦＴキー１０またはＲＩＧＨＴキー１１を押すことにより、フォーカスを最適な位置へ調整を行う。
ユーザがＬＥＦＴキー１０またはＲＩＧＨＴキー１１を離してから一定時間後、メインマイコン２５はフォーカス調整が終わったものと判断し、「フォーカス調整の決定を促す」ためにＬＥＤ２１を点滅または点灯させる（順番８）。
【００３３】
ユーザがフォーカス調整を終わっていた場合、決定するためのキーとなるＥＮＴＥＲキー１３を押すと、メインマイコン２５は「ＲＧＢ関係の画像調整モードに入らせる」ためにＬＥＤ１６を点滅または点灯させる（順番９）。
ユーザがＬＥＤ１６の点滅または点灯を確認し、ＭＥＮＵキー８を押すとＭＥＮＵモードに入る。
ＭＥＮＵモード中の画像調整モードが、ＭＥＮＵ中で右に１つ、下に１つ目の項目だった場合、まず右に１つ動かさせる指示としてＬＥＤ１８を点滅または点灯する（順番１０）。
【００３４】
ユーザがＬＥＤ１８の点滅または点灯を確認し、ＲＩＧＨＴキー１１を押すと、次に下に１つ動かさせる指示としてＬＥＤ２０を点滅または点灯する（順番１１）。
その結果、ユーザがＬＥＤ２０の点滅または点灯を確認し、ＤＯＷＮキー１２を押すと、目的のＲＧＢの画像調整モードに入り、「画像調整を促す」ためにＬＥＤ１８または１９を点滅または点灯させる（順番１２）。
【００３５】
ユーザがＬＥＤ１８、１９の点滅または点灯を確認し、ＬＥＦＴキー１０またはＲＩＧＨＴキー１１を押し、最適な画像となるように調整を行う。
ユーザがＬＥＦＴキー１０またはＲＩＧＨＴキー１１を離してから一定時間後、メインマイコン２５はＲＧＢの画像調整が終わったものと判断し、「画像調整の決定を促す」ためにＬＥＤ２１を点滅または点灯させる（順番１３）。
【００３６】
ユーザが決定するためのキーとなるＥＮＴＥＲキー１３を押すと、ＲＧＢ関係の全ての画像調整が終了したとして、メインマイコン２５は、次に調整すべき「ＶＩＤＥＯ信号を入力させる」べく、ＬＥＤ５を点滅または点灯させる（順番１４）。
ユーザがＬＥＤ５の点滅または点灯を確認し、ＶＩＤＥＯ信号入力端子３にＶＩＤＥＯ信号ケーブルをつなぐと、ＶＩＤＥＯ端子判別回路２４からコネクタが接続されたことを示す信号が出される。
メインマイコン２５がその信号を検出すると「ＶＩＤＥＯ関係の調整モードに入らせる」ために、ＬＥＤ１６を点滅または点灯させる（順番１５）。
【００３７】
ユーザがＬＥＤ１６の点滅または点灯を確認し、ＭＥＮＵキー８を押すと、ＭＥＮＵモードに入る。ここでＶＩＤＥＯの信号調整モードがＭＥＮＵ中で、上に１つ、左に１つ目の項目だった場合、まず「左に１つ動かさせる」ためにＬＥＤ１８を点滅または点灯させる（順番１６）。
ＬＥＤ１８の点滅または点灯を確認し、ＬＥＦＴキー１０をユーザが押すと、次に「上に１つ動かさせる」ためにＬＥＤ１７を点滅または点灯させる（順番１７）。
【００３８】
ユーザがＬＥＤ１７の点滅または点灯を確認し、ＵＰキー９を押すことで、ＶＩＤＥＯ信号調整モードに入り、ＶＩＤＥＯ信号調整モード中で「最適な映像に調整させる」べく、ＬＥＤ１８、１９を点滅または点灯させる（順番１８）。
ユーザがＬＥＦＴキー１０もしくはＲＩＧＨＴキー１１を押すことにより最適なＶＩＤＥＯ信号の調整を行う。
ユーザがＬＥＦＴキー１０またはＲＩＧＨＴキー１１を離してから一定時間後、メインマイコン２５はＶＩＤＥＯ信号の調整が終わったものと判断し、「映像調整の決定を促す」ためにＬＥＤ２１を点滅または点灯させる（順番１９）。
ユーザが決定するためのキーとなるＥＮＴＥＲキー１３を押すと、全てのＶＩＤＥＯ信号の調整が終わったものとして、メインマイコン２５は全てのＬＥＤを消灯すると共に通常モードへと移行する。
【００３９】
尚、上記実施形態の操作部は、電子機器（プロジェクタ）本体に設置されているのもとして説明したが、ワイヤレスリモコンに同様のＬＥＤを配した操作部とメインマイコンを備えさせて、同様にガイダンスを行うことも可能である。
【００４０】
また、上述した実施形態のメインマイコンの動作をプログラム化し、予めＲＯＭのような記録媒体に書き込んでおき、電子機器にそのＲＯＭを装着して、これらのプログラムをマイクロプロセッサで実行することによって、本発明の目的が達成されることは言うまでもない。
この場合、記録媒体から読み出されて実行された状態が上述した実施形態の機能を実現することになり、そのプログラムおよびそのプログラムを記録した記録媒体も本発明を構成することになる。
【００４１】
また、この電子機器へ接続させたコンピュータの記憶装置またはネットワークを介して接続させたサーバコンピュータの記憶装置に格納された上記プログラムを電子機器に備えた記憶装置へ直接供給し、その供給を受けたプログラムをマイクロプロセッサで実行することによって上述した実施形態の機能が実現される。
この場合、それぞれのコンピュータの記憶装置も本発明の記録媒体に含まれる。
【００４２】
尚、本発明は上述した実施形態に限定されることなく、本発明の要旨を逸脱しない範囲内で各種の変形、修正が可能であるのは勿論である。
【００４３】
【発明の効果】
以上説明したように本発明によれば、取り扱い説明書を見ること無く、設置時の調整を順序良く、また簡単に行うことが可能となる。
また、プロジェクタなどの投影装置においては、設置時のフォーカス調整などが終わっていないことにより、スクリーン上に表示されるガイド内容が見えない状態でもＬＥＤなどの点灯や点滅のガイドに従って正しく調整を行うことができる。
【図面の簡単な説明】
【図１】本発明に係る機器操作のガイダンスシステムが適用される電子機器（プロジェクタ）の入出力端子部と操作部である。
【図２】本実施形態におけるガイダンスシステム部のブロック図である。
【図３】本実施形態における電子機器を設置したときに調整モードを実行するか否かを判定するときの処理手順を示すフローチャートである。
【図４】本実施形態におけるガイダンステーブル例である。
【図５】従来技術における装置とガイダンス表示装置との結線図である。
【図６】従来技術におけるガイダンス表示装置の回路ブロック図である。
【図７】従来技術におけるガイダンス表示装置の機種テーブルである。
【図８】従来技術におけるガイダンス表示装置の表示テーブルである。
【図９】従来技術におけるガイダンス表示装置の動作フローを示すフローチャートである。
【符号の説明】
１…端子板、２…ＲＧＢ信号入力端子、３…ＶＩＤＥＯ信号入力端子、４，５…ＬＥＤ、６…操作部、７…ＰＯＷＥＲキー、８…ＭＥＮＵキー、９…ＵＰキー、１０…ＬＥＦＴキー、１１…ＲＩＧＨＴキー、１２…ＤＯＷＮキー、１３…ＥＮＴＥＲキー、１４…ＬＥＮＳキー、１５〜２２…ＬＥＤ、２３…ＲＧＢ端子判別回路、２４…ＶＩＤＥＯ端子判別回路、２５…メインマイコン、２６…キー情報受信経路、２７…ＬＥＤ制御経路、１２１…ガイダンス表示装置、１２２…通信ポート、１２３…通信ライン、１２５…通信ポート、１２６…表示装置、１２７…入力用キー、１２８…制御用ＣＰＵ、１２９…ＲＯＭ、１３０…ＲＡＭ、１３１…入力装置、１３３…機種コード判定部、１３４…装置本体、１３５…外部記憶装置。
【図１】
2004318740.tif 000003
【図２】
2004318740.tif 000004
【図３】
2004318740.tif 000005
【図４】
2004318740.tif 000006
【図５】
2004318740.tif 000007
【図６】
2004318740.tif 000008
【図７】
2004318740.tif 000009
【図８】
2004318740.tif 000010
【図９】
2004318740.tif 000011